(57)【特許請求の範囲】
【請求項１】
ハンガーフック部と、前記ハンガーフック部から左右に延びる一対のショルダー部とを有するハンガーに衣服を掛けた状態で携行するための衣服携行バッグであって、
開閉可能なバッグ本体と、
前記バッグ本体を開閉可能とするためのバッグ開閉部と、
履物を収容可能な履物収容ケースとを有し、
前記ハンガーに対して前記履物収容ケースを装着することにより、一対の前記ショルダー部間の領域に前記履物を保持可能であることを特徴とする衣服携行バッグ。
【請求項２】
前記履物収容ケース内に、前記ショルダー部の一方から他方に向かう方向に前記履物を向けた状態で収容可能であることを特徴とする請求項１に記載の衣服携行バッグ。
【請求項３】
前記履物収容ケースが、
前記履物が収容される履物収容部と、
前記履物収容部に収容された履物をくるむ履物保護部とを有することを特徴とする請求項１又は２に記載の衣服携行バッグ。
【請求項４】
前記バッグ本体の内面に沿うように形成された衣服固定部を有し、
前記バッグ本体の内面と前記衣服固定部との間に、前記衣服を収容するための衣服収容領域が形成されるものであり、
前記衣服固定部が複数以上重ね合わせられた布地によって構成され、前記布地の織目が所定の方向に延びるものであり、前記布地の織目方向が互いに交差する方向に前記布地が重ね合わせられているものであることを特徴とする請求項１〜３のいずれかに記載の衣服携行バッグ。
【請求項５】
前記バッグ本体内において前記ハンガーフック部を係合させるための係合部を有し、
前記衣服携行バッグを携行する状態において前記係合部に前記ハンガーが吊り下げられた状態になるものであり、
前記係合部が、前記ハンガーの吊り下げ方向に向けて谷状に窪んだ凹部を有し、前記バッグ本体の外縁から所定のスペースをあけて配置されていることを特徴とする請求項１〜４のいずれかに記載の衣服携行バッグ。
【請求項６】
前記衣服固定部が、前記係合部と重複しない位置に設けられていることを特徴とする請求項１〜５のいずれかに記載の衣服携行バッグ。
【請求項７】
前記バッグ本体内部に衣服を掛けて収容するための衣服掛部及びボトムスを掛け止めるための吊部のいずれか一方又は双方を有するものであることを特徴とする請求項１〜６のいずれかに記載の衣服携行バッグ。
【請求項８】
ハンガーフック部と、前記ハンガーフック部から左右に延びる一対のショルダー部とを有するハンガーに衣服を掛けた状態で携行するための衣服携行バッグに用いられる履物収容ケースであって、
前記ショルダー部の一方から他方に向かう方向に履物を向けた状態で収容可能な履物収容部を有し、
前記ハンガーに対して前記履物収容ケースを装着することにより、一対の前記ショルダー部間の領域に前記履物を保持可能であることを特徴とする履物収容ケース。
【発明の詳細な説明】
【技術分野】
【０００１】
本発明は、スーツ等の衣服やパンプス、革靴等の履物を収容して携行するためのバッグに関する。
【背景技術】
【０００２】
従来より、出張や就職活動等のために、スーツ等の衣服を収容して携行するためのものとして、ガーメントバッグやスーツケース等、様々な種類のバッグ類が販売されている。このようなバッグ類については、収容する衣服にシワや型くずれが発生するのを抑制しつつ、衣服の携行を可能とすることが求められる。また、出張や就職活動等に必要とされる衣服や履物を１つのバッグ内に収容し、可能な限り手荷物を少なくすることが望まれる。
【０００３】
このような利用者のニーズに対応するため、強度のある外装から構成されるスーツケースを用いて、スーツケース内におけるスーツ等のシワを抑制するような工夫がされたものが開示されている。例えば、下記特許文献１のスーツケースでは、スーツケース内部に膨張・収縮自在の空気袋と空気ポンプを備え、スーツケース内部に収容した収容物が動かないようにし、スーツ等にシワが発生することを抑制するものが開示されている。
【０００４】
また、軽量でありながらスーツ等を収容可能なものとして、下記特許文献２のバッグアンドカバーが開示されている。特許文献２のバッグアンドカバーは、バッグ本体の中にスーツを折りたたんで収容するためのカバーを備え、カバーに収容されたスーツを二つ折りあるいは三つ折りにしたものをバッグ本体に収容するとされている。折りたたんだカバーとバッグとを固定する手段により、バッグ本体内で衣服を固定し、衣服にシワが発生することを抑制している。特許文献２のバッグアンドカバーは、軽量でありながらもスーツ等を収容して携行可能であり、出張や就職活動等での持ち運びに適している。
【先行技術文献】
【特許文献】
【０００５】
【特許文献１】特開平９−２３８７２７号公報
【特許文献２】特開２００４−１３１１０９号公報
【発明の概要】
【発明が解決しようとする課題】
【０００６】
上述した特許文献１のスーツケースは、スーツの収容やシワの抑制といった点では優れている。しかし、強固な本体や空気ポンプ等を備えた結果、スーツケース自体の重量が大きくなるため、持ち運びの点で優れているとはいえない。また、上述した特許文献２のバッグアンドカバーについては、持ち運びの点では優れているものの、収容したスーツ等が互いに圧迫し、スーツ等に型くずれが発生する可能性が生じる。
【０００７】
さらに、昨今では出張のほか、就職活動や転職活動等においても遠方まで出向いて活動することが珍しくない。そのためスーツ等の他、パンプス、革靴等を同時に携行することもある。さらに結婚式への出席等、履物を衣服と同時に収容して携行する必要のある機会は多々想定できる。このような場合に、特許文献１のスーツケースや特許文献２のバッグアンドカバーにスーツ等と履物を同時に収容しようとすると、履物の汚れがスーツ等に付着しないかといった懸念や、スーツ等と履物とが互いに圧迫しこれらの型くずれを起こさないかといった懸念が生じる。一方、バッグ等とは別の手提げ袋等を、履物の携行に用いるとすると、出張や就職活動等ただでさえ手荷物が多くなる状況にさらに手荷物を増やすこととなり、煩わしい。
【０００８】
そこで本発明は、衣服と履物とを同時に収容可能で、衣服の型くずれやシワの発生を抑制する手段を備えた衣服携行バッグの提供を目的とした。
【課題を解決するための手段】
【０００９】
上述した課題を解決すべく提供される本発明は、ハンガーフック部と、前記ハンガーフック部から左右に延びる一対のショルダー部とを有するハンガーに衣服を掛けた状態で携行するための衣服携行バッグであって、開閉可能なバッグ本体と、前記バッグ本体を開閉可能とするためのバッグ開閉部と、履物を収容可能な履物収容ケースとを有し、前記ハンガーに対して前記履物収容ケースを装着することにより、一対の前記ショルダー部間の領域に前記履物を保持可能であることを特徴とするものである。
【００１０】
上述した構成により、軽量でありながら衣服と履物とを同時に収容可能とした。本発明に係る衣服携行バッグの履物収容ケースは、ハンガーの一方のショルダー部から他方のショルダー部に亘る領域に履物が位置するようハンガーに装着される。そのため、前記履物収容ケースに履物を収容してハンガーに装着し、前記ハンガーに衣服を掛けると衣服の肩から胸に亘る部分の内側に履物の厚みが与えられる。すなわち、履物が衣服の内側に位置して芯の役割を担い、衣服の型くずれやシワを抑制することができる。さらに本発明の衣服携行バッグは、履物収容ケース内に履物を収容するため、衣服と履物とが直接接触しない。そのため、履物と衣服とが接触することが原因で懸念される衣服の汚れが抑制される。
【００１１】
本発明の衣服携行バッグは、前記履物収容ケース内に、前記ショルダー部の一方から他方に向かう方向に前記履物を向けた状態で収容可能であることが望ましい。
【００１２】
上述した構成によれば、履物のかかと部あるいはつま先部等の履物の端部がハンガーのショルダー部付近に位置するように、履物が履物収容ケースの内部に収容される。そのため、履物を収容した履物収容ケースをハンガーに装着して衣服を掛けると、履物の端部が衣服の肩部付近に位置する。そのため、履物の端部が衣服の肩部の形状を内側から保持し、衣服の肩部の型くずれを抑制することができる。
【００１３】
上述した本発明の衣服携行バッグに係る前記履物収容ケースは、前記履物が収容される履物収容部と、前記履物収容部に収容された履物をくるむ履物保護部とを有することが望ましい。
【００１４】
上述した履物収容部に履物を収容して前記履物を履物保護部でくるむと、ショルダー部の一方から他方に向けた状態で収容した履物について、収容位置を保持することができる。また、履物収容ケース内部に収容した履物とハンガーとが接触しない。そのため、ハンガーと接触することで履物に傷が付くことを回避することができる。
【００１５】
本発明の衣服携行バッグは、前記バッグ本体の内面に沿うように形成された衣服固定部を有し、前記バッグ本体の内面と前記衣服固定部との間に、前記衣服を収容するための衣服収容領域が形成されるものであり、前記衣服固定部が複数以上重ね合わせられた布地によって構成され、前記布地の織目が所定の方向に延びるものであり、前記布地の織目方向が互いに交差する方向に前記布地が重ね合わせられているものとしてもよい。
【００１６】
上述した構成により、バッグ本体の展開状態においてバッグ本体と衣服固定部との間に平面状の衣服収容スペースが確保される。本発明の衣服携行バッグに衣服を収容する場合、上述した衣服収容領域に衣服が収容される。衣服収容領域に衣服を収容することで、衣服をバッグ本体に沿わせた状態で姿勢を維持させることができる。さらに衣服固定部を複数以上の布地を用いて構成し、これらの布地織目の延び方向が互いに交差するように構成することで、衣服固定部を構成する布地が延びることによる衣服固定部の弛みを抑制できる。これにより、衣服収容領域に収容された衣服を衣服固定部がしっかりと保持することができる。
【００１７】
本発明の衣服携行バッグは、前記バッグ本体内において前記ハンガーフック部を係合させるための係合部を有し、前記衣服携行バッグを携行する状態において前記係合部に前記ハンガーが吊り下げられた状態になるものであり、前記係合部が、前記ハンガーの吊り下げ方向に向けて谷状に窪んだ凹部を有し、前記バッグ本体の外縁から所定のスペースをあけて配置されているものとしてもよい。
【００１８】
本発明の衣服携行バッグを閉じた状態において、ハンガーフック部が衣服携行バッグより外側に突出している場合、突出したハンガーフック部が利用者の着用している衣服に引っかかるおそれがあるほか、見栄えの点で優れているとはいえない。上述の構成とすると、衣服携行バッグ内部に衣服を掛けて収容するためのハンガーを係合部に掛止めた場合、ハンガーフック部は衣服携行バッグ内の所定のスペースに位置し、衣服携行バッグの外部に突出しない。そのため、利用者の衣服等に突出したハンガーフック部が引っかかることを防止することができる。
【００１９】
上述した衣服固定部は、前記係合部と重複しない位置に設けられていることが望ましい。
【００２０】
係合部と衣服固定部とが重複した位置に設けられている場合、係合部にハンガーを掛けようとすると衣服固定部に手元が遮られ、ハンガーを係合部に掛けにくくなる可能性が生じる。そのため、衣服固定部が係合部を遮らない位置に衣服固定部を設け、ハンガーの掛外しを容易にすることができる。
【００２１】
本発明の衣服携行バッグは、前記バッグ本体内部に衣服を掛けて収容するための衣服掛部及びボトムスを掛け止めるための吊部のいずれか一方又は双方を有することが望ましい。
【００２２】
本発明の衣服携行バッグは、衣服携行バッグ内部に衣服を掛けて収容する際、ハンガーを用いることとされている。さらに、前記ハンガーには履物収容ケースが装着される。前記履物収容ケースの構成によっては、通常パンツやスカートを掛け止めるハンガーの横杆部が履物収容ケース内部に収容され、ハンガーにパンツやスカートを掛け止めることができない可能性が生じる。そこで、上述した衣服掛部や吊部を設け、これらに対してパンツやスカートを掛止め、あるいは吊るすことで、履物収容ケースの形態によらず、スカートやパンツ等を衣服携行バッグに収容することが可能となる。吊部には、スカート等のボトムスのウエスト部に取付けられたハンガーループやベルト通し等、ループ状となっているものを吊るすことができる。なお、ハンガーループとは、スカート等のボトムスにおいて、これらのウエスト部左右２カ所に取り付けられ、１本の紐の両端が接続されてループ状となっているものである。
【００２３】
本発明の衣服携行バッグは、前記バッグ本体に物品を収容可能なポケットを有していてもよい。上述のポケットを設けることにより、アクセサリーなどの小物類から書類の収容等、種々活用することができる。また、本発明の衣服携行バッグは、前記バッグ本体及び／又は前記衣服固定部が、静電気を抑制する素材から構成されるものとしてもよい。上述の構成とすることで、衣服携行バッグ内部や外部の静電気抑制に貢献する。
【００２４】
本発明の履物収容ケースは、ハンガーフック部と、前記ハンガーフック部から左右に延びる一対のショルダー部とを有するハンガーに衣服を掛けた状態で携行するための衣服携行バッグに用いられる履物収容ケースであって、前記ショルダー部の一方から他方に向かう方向に履物を向けた状態で収容可能な履物収容部を有し、前記ハンガーに対して前記履物収容ケースを装着することにより、一対の前記ショルダー部間の領域に前記履物を保持可能であることを特徴とするものである。
【００２５】
本発明の履物収容ケースは、ハンガーの一方のショルダー部から他方のショルダー部に亘る領域に履物が位置するようハンガーに装着される。そのため、前記履物収容ケースに履物を収容してハンガーに装着し、前記ハンガーに衣服を掛けると衣服の肩から胸に亘る部分の内側に履物の厚みが与えられる。すなわち、履物が衣服の内側に位置して芯の役割を担い、衣服の型くずれやシワを抑制することができる。さらに本発明の履物収容ケースを上述した衣服携行バッグに用いれば、衣服携行バッグに収容される衣服と履物とが直接接触しない。そのため、履物と衣服とが接触することが原因で懸念される衣服の汚れが抑制される。また、上述した構成によれば、履物のかかと部やつま先部等の履物の端部がハンガーのショルダー部付近に位置するように、履物が履物収容ケースの内部に収容される。そのため、履物を収容した履物収容ケースをハンガーに装着して衣服を掛けると、履物の端部が衣服の肩部付近に位置する。そのため、履物の端部が衣服の肩部の形状を内側から保持し、衣服の肩部の型くずれを抑制することができる。本発明の履物収容ケースは、ハンガーを用いて衣服を収容する衣服携行バッグに好適に用いることができる。
【発明の効果】
【００２６】
本発明によれば、衣服と履物とを同時に収容可能で、衣服の型くずれやシワを抑制する手段を備えた衣服携行バッグを提供することができる。
【図面の簡単な説明】
【００２７】
【図１】（ａ）は、衣服携行バッグを展開した状態の内側であって、衣服を収容した状態を示している。（ｂ）は、図１（ａ）の衣服携行バッグを閉じた状態を示している。
【図２】衣服携行バッグを展開した状態の内側であって、衣服を収容していない状態を示している。
【図３】（ａ）、（ｂ）及び（ｃ）は係合部の詳細図を示している。（ａ）はハンガーフック部を係合部とバッグ本体との間に通した状態、（ｂ）はハンガーフック部を係合部に引っ掛けた状態、（ｃ）は、バッグ本体２０を閉じた状態において、ハンガー１が上部に方向に動いた場合のハンガーフック部３の位置を示している。（ｄ）及び（ｅ）は吊部の詳細を示している。（ｄ）はループボタンを開放した状態、（ｅ）は吊部にハンガーループを吊るした状態である。
【図４】（ａ）は、履物収容ケースの斜視図、（ｂ）は履物収容ケースの正面図、（ｃ）は履物収容ケースの側面断面図を示している。
【図５】履物収容ケースに履物を収容する手順において、履物保護部を履物収容ケースの外側に引き出した状態を示している。（ａ）は正面図、（ｂ）は側面断面図である。
【図６】履物収容ケースに履物及びハンガーを収容した状態を示している。（ａ）は正面図、（ｂ）は側面断面図である。
【図７】図６の履物及びハンガーを収容した履物収容ケースに、上着を掛けた状態を示している。（ａ）は正面図、（ｂ）は側面断面図である。
【図８】衣服携行バッグに衣服を収容する手順を示している。（ａ）はパンツを収容した状態、（ｂ）はさらにスカートを収容した状態、（ｃ）は続いて上着を収容した状態、（ｄ）は衣服固定部を閉じた状態、（ｅ）は中央線でバッグ本体を二つ折りにした状態、（ｆ）はバッグ本体を閉じた状態を示している。
【図９】（ａ）は履物収容ケースの変形例を斜視図で示している。（ｂ）は図９（ａ）の履物収容ケースをハンガーに装着しようとする場合の正面図である。（ｃ）はハンガーの横杆にパンツを掛け、さらにハンガーに図９（ａ）の履物収容ケースを装着した場合の側面図である。
【発明を実施するための形態】
【００２８】
≪第一実施形態≫
以下、本発明の一実施形態に係る衣服携行バッグ１０について、図面を参照しつつ説明する。衣服携行バッグ１０は、衣服を収容して持ち運ぶためのものである。図１（ａ）に示すとおり、衣服携行バッグ１０の内側には上着６やパンツ７が収容される。上着６は、履物収容ケース６０が取付けられたハンガー１に掛けた状態で収容される。また、履物収容ケース６０の内側には、破線で示すとおりパンプスなどの履物４が収容されている。衣服携行バッグ１０は、バッグ本体２０を展開した状態で衣服を収容する。衣服携行バッグ１０を携行する場合には図１（ｂ）に示すとおりバッグ本体２０を折りたたんで閉じた状態とする。
【００２９】
衣服携行バッグ１０に収容する衣服は、スーツやコート、結婚式用のドレスやワンピース、礼服、和服等、種々収容可能である。また、収容する履物４は、革靴やパンプス、ハイヒール、草履等、種々収容可能とされている。
【００３０】
衣服携行バッグ１０は、図２に示すとおり、バッグ本体２０と履物収容ケース６０を有する。履物収容ケース６０は、ハンガー１を介してバッグ本体２０に装着される。具体的には、履物収容ケース６０がハンガー１に装着され、バッグ本体２０に設けられた係合部３４にハンガーフック部３（ハンガー１）が掛止められることで、履物収容ケース６０がバッグ本体２０に装着される。
【００３１】
次に、バッグ本体２０について、図面を参照しながら詳細に説明する。上述したとおり、図２はバッグ本体２０を展開した状態を示している。バッグ本体２０の展開状態において、バッグ本体２０の内側には衣服掛部３２、衣服固定部２８、係合部３４、吊部４０ａ，４０ｂ、ポケット５０が設けられている。バッグ本体２０の展開状態において外側には取っ手２６ａ，２６ｂが設けられている。また、バッグ本体２０の外縁に沿ってバッグ開閉部４８が設けられている。図２に示すとおり、バッグ本体２０は略長方形の形状とされている。バッグ本体２０は、バッグ本体２０の長手方向と交差する方向（幅方向）に設けられた中心線４６を境に二つ折に折りたたみ可能とされている。バッグ本体２０は、中心線４６で隔てられた二つの領域を有する。すなわち、ハンガー１及び履物収容ケース６０が取付される領域である上部領域２２と、他方の領域である下部領域２４を有する。衣服固定部２８は、バッグ本体２０の長辺にそれぞれ内側カバー２９ａ，２９ｂとして設けられている。係合部３４は、上部領域２２の取っ手２６ａ側にバッグ本体２０の外縁から後に詳述する所定のスペースを空けて設けられている。また、吊部４０ａ，４０ｂは、係合部３４の長手方向両端の近接した位置にそれぞれ設けられている。衣服掛部３２は、略長方形の形状とされ、上部領域２２においてバッグ本体２０の長手方向両辺に亘って設けられている。ポケット５０は、下部領域２４に設けられている。
【００３２】
バッグ本体２０は、衣服等を収容して携行時の衣服等の汚れを防止しつつ、衣服等を携行するための外装を構成する。上述のとおり、バッグ本体２０は中心線４６で二つ折り可能とされ、中心線４６を隔てて上部領域２２と下部領域２４の二つの領域から構成されている。上部領域２２と下部領域２４とは、後に詳述するバッグ開閉部４８により開閉自在とされている。バッグ本体２０は、バッグ開閉部４８を全開にした状態では、略同一平面を構成し、衣服等の収容に適した形状となる。一方、バッグ本体２０は、バッグ開閉部４８を閉じた状態においは二つ折の状態となり、携行に適したバッグの態様を成す。本実施形態では、バッグ本体２０を二つ折り可能とされている。バッグ本体２０は、その他三つ折り、あるいは折り目を設けずに丸める形状とするなど、種々選択可能である。また、バッグ本体２０は、１枚の素材を用いたものでもよいし、２枚以上の素材を重ね合わせられたものを用いることも可能である。
【００３３】
バッグ開閉部４８は、バッグ本体２０の上部領域２２と下部領域２４とを、開閉自在とするため設けられている。本実施形態では、バッグ開閉部４８はエレメント５２とスライダー５４ａ，５４ｂから構成されるファスナーを用いている。エレメント５２は、バッグ本体２０の外縁に沿って設けられている。ファスナーを開閉可能とするためのスライダー５４ａ，５４ｂは、２個設けられている。バッグ開閉部４８は、その他面ファスナー、ボタン、フック等、種々選択可能である。また、本実施形態のとおり、バッグ本体２０の外縁を取り囲むように設けても良いし、１カ所、あるいは２カ所以上の複数箇所に設けても良い。
【００３４】
衣服固定部２８は、バッグ本体２０に収容された衣服を保護し、バッグ本体２０内において衣服が散乱してシワにならないよう衣服を押さえるために設けられている。本実施形態においては衣服固定部２８は、バッグ本体２０の長辺に沿って取付けられた内側カバー２９ａ，２９ｂを備えている。内側カバー２９ａ，２９ｂは、布地を２枚重ね合わせたものが用いられている。本実施形態では、内側カバー２９ａ，２９ｂは、軽量で風合いの良いオーガンジー素材を用いている。重ね合わせられた２枚のオーガンジー素材は、縦織りと横織りの織目方向が互いに交差するように重ね合わせられている。このような構成とすることで、織目の延びによって内側カバー２９ａ，２９ｂが弛むことを抑制している。衣服固定部２８は、延びにくい布地を用いて、重ね合わせず１枚で構成されていてもよい。内側カバー２９ａ，２９ｂにはこれらを開閉自在とするカバー開閉部３０ａ，３０ｂが設けられている。バッグ本体２０と内側カバー２９ａ，２９ｂとの間には、衣服収容領域１００が形成される。衣服を衣服携行バッグ１０へ収容しようとするときには、カバー開閉部３０ａ，３０ｂを開き、内側カバー２９ａ，２９ｂを展開状態にして衣服収容領域１００に衣服を収容する。内側カバー２９ａ，２９ｂを開閉自在とすることで、衣服収容領域１００への衣服の収容作業が容易となる。衣服固定部２８は、本実施形態では、バッグ本体２０の内側略全体を覆う形状とされている。衣服固定部２８は、バッグ本体２０の上部領域２２と下部領域２４のそれぞれに設けてもよい。また、衣服固定部２８をベルト部材を用いたものとしてもよい。さらには、衣服固定部２８に開閉手段を設けず、ゴム等伸縮性のある素材を用いて設けることも可能である。
【００３５】
衣服固定部２８は、上述したとおりバッグ本体２０の長辺に沿って取付けられた内側カバー２９ａ，２９ｂを備えている。内側カバー２９ａ，２９ｂは、内側カバー２９ａ，２９ｂを閉じた状態において、係合部３４及び吊部４０ａ，４０ｂに覆い被さらないように設けられている。そのため、内側カバー２９ａ，２９ｂを閉じた状態でハンガーフック部３を係合部３４に掛けようとする場合にも、利用者が係合部３４を視認しながら作業を行うことができ、ハンガーフック部３の掛外しを容易に行うことができる。
【００３６】
係合部３４は、ハンガー１をバッグ本体２０の内側において取付するために設けられている。ハンガー１をバッグ本体２０に対して取付する場合はハンガーフック部３を係合部３４に引っ掛けて取付する。係合部３４を設け、ハンガー１をバッグ本体２０内において係合することで、衣服携行バッグ１０を携行した場合に衣服を掛けたハンガー１がバッグ本体２０の長手方向にずれ落ちることを抑制する。
【００３７】
図３（ａ）及び（ｂ）は、係合部３４の詳細を示している。係合部３４の上部には、ハンガー１の吊り下げ方向に向けて谷状に窪んだ凹部３６が設けられている。また、係合部３４の略中央には、中央ボタン３８が設けられている。係合部３４は、係合部３４の長手方向両端に設けられた結合部３７ａ，３７ｂにおいてバッグ本体２０に縫いつけられている。
【００３８】
中央ボタン３８を設けておくと、中央ボタン３８を留めた場合にハンガー１の動きが規制されてハンガー１の位置決めの精度が良くなる。さらに、ハンガーフック部３が凹部３６の湾曲に沿って中央ボタン３８方向に移動する。そのため、ハンガーフック部３が自ずと係合部３４の略中央部に位置決めされた状態となる。
【００３９】
また、中央ボタン３８を着脱可能とすることで、ハンガーフック部３の掛外しを容易に行い得る。図３（ａ）及び（ｂ）を参照しつつ具体的に説明する。図３（ａ）は係合部３４に設けられた中央ボタン３８を開放した状態、（ｂ）は中央ボタン３８を留めた状態である。ハンガーフック部３を係合部３４に対して掛止める場合、係合部３４とバッグ本体２０との間を貫通させる。中央ボタン３８を開放した状態では、ハンガーフック部３を貫通させることができる幅は貫通可能範囲Ａであり、中央ボタン３８を閉じた状態においては貫通可能範囲Ｂとなる。すなわち、ハンガーフック部３を掛ける時には中央ボタン３８を開放して、ハンガーフック部３を掛けやすいよう大きな幅とし、掛けた後には中央ボタン３８を閉じてハンガーフック部３が動きにくいよう小さな幅とすることができる。
【００４０】
このように、中央ボタン３８を設け、かつ中央ボタン３８をバッグ本体２０に対して着脱可能とすることにより、ハンガーフック部３を掛外ししやすく動きにくくするという二つの課題を解決している。
【００４１】
また、図３（ｂ）に示すように係合部３４と上部領域２２側の取っ手２６ａ側端との間にはスペースＳが設けられている。スペースＳは、バッグ本体２０の外縁から凹部３６の外縁までの間に設けられている。スペースＳは、係合部３４にハンガーフック部３を掛止めた場合において、ハンガーフック部３の上部がバッグ本体２０の外縁より突出しない距離を確保している。すなわち、ハンガー１を係合部３４に掛止めた場合、ハンガーフック部３の上部がスペースＳに位置することとなり、ハンガーフック部３がバッグ本体２０の上部領域２２から突出しない。そのため、ハンガーフック部３がバッグ本体２０の内側から外側に突出することがなく、衣服携行バッグ１０を携行した場合に、利用者が着用している衣服等にハンガーフック部３が引っかかることを防止する。図３（ｃ）は、バッグ本体２０を閉じた状態において、ハンガー１が上部に方向に動いた場合のハンガーフック部３の位置を示している。図３（ｃ）に示すように、スペースＳは、バッグ本体２０を閉じた状態においてハンガーフック部３のフック端部３ａが、凹部３６の上端を超えないようなスペースとしている。そのため、利用者が衣服携行バッグ１０を携行して歩行した場合、歩行等によってハンガー１に上下方向の振動が加えられた場合であっても、ハンガー１が係止部３４から離脱しない点で優れている。
【００４２】
図１や、図８等に示すように、衣服掛部３２は、パンツやスカート等のボトムスの他、和服等の衣服を掛けるために設けられている。本実施形態では、衣服掛部３２は略長方形の形状とされており、バッグ本体２０の幅方向に亘って設けられている。衣服掛部３２は、幅方向両端部がバッグ本体２０に縫いつけられ、バッグ本体２０に取付けられている。図８（ａ）に示すように、ボトムス等の衣服は二つ折りにして、その一端側を衣服掛部３２とバッグ本体２０との間に通してバッグ本体２０に収容することができる。衣服掛部３２は、バッグ本体２０の下部領域２４に設けてもよいし、また、複数箇所設けることも可能である。さらには、衣服掛部３２は、紐状のものやベルトを用いることも可能である。
【００４３】
吊部４０ａ，４０ｂは、スカート等のウエスト部内側に設けられているハンガーループ９ａ，９ｂやベルト通し部等のループ状となったものを引っかけ、スカート等のボトムスを吊るすために設けられている。図３（ｄ）は、吊部４０ａの詳細を示している。吊部４０ａ，４０ｂは、一端がバッグ本体２０に結合されている帯状のループ部４２ａ，４２ｂのそれぞれ両端にループボタン４４ａ，４４ｂが設けられ、ループボタン４４ａ，４４ｂを着脱することでループ状に着脱可能としている。ハンガーループ９ａ，９ｂを備えたスカート等を収容しようとする場合、図３（ｄ）に示すとおりループボタン４４ａ，４４ｂを外した状態でループ部４２ａ，４２ｂをハンガーループ９ａ，９ｂに通す。続いて図３（ｅ）に示すとおり、ループ部４２ａ，４２ｂのループボタン４４ａ，４４ｂを結合する。このように左右２カ所のハンガーループ９ａ，９ｂを吊部４０ａ，４０ｂに吊るす。衣服掛部３２と吊部４０ａ，４０ｂとの両方を設けることにより、パンツ７及びスカート８のいずれもバッグ本体２０に同時に収容することができる。
【００４４】
ポケット５０は、書類や衣服等を収容するためのものである。ポケット５０は、ブラウス等の衣服や、Ａ４サイズ程度の書類を収容するものとして設けられている。ポケット５０は、アクセサリーやネクタイ等の小物を収容できる程度の大きさのものとしてもよい。また、ポケット５０は、バッグ本体２０を閉じた状態において、バッグ本体２０の外側に位置するように設けてもよい。
【００４５】
バッグ本体２０及び衣服固定部２８の材質は、ナイロン、ポリエステル、帆布等種々の素材を選択可能である。バッグ本体２０は、撥水性や強度等を考慮しナイロン等の合成繊維を用いることが望ましい。衣服固定部２８は、薄手の布地を用いることが望ましい。また、バッグ本体２０及び衣服固定部２８は、静電気が発生しにくい素材を用いるか、あるいは静電気防止加工を施すことが望ましい。さらにバッグ本体２０については、衣服携行バッグ１０の携行時の雨天等を考慮し、外側に撥水加工を施すことが望ましい。
【００４６】
続いて、履物収容ケース６０について、図面を参照しながら詳細に説明する。図１に示すように履物収容ケース６０は、履物４を収容するものである。履物収容ケース６０をハンガー１に装着し、続いてハンガー１のハンガーフック部３をバッグ本体２０の係合部３４に掛止めることで、履物収容ケース６０がバッグ本体２０に取付けられる。
【００４７】
図４に示すように、履物収容ケース６０は、略直方体状に形成された履物収容部６８と、略三角錐状に形成されたハンガーカバー部７４とを一体的に形成したものである。履物収容ケース６０は、正面に設けられたケース開閉部６４により開閉し、履物４やハンガー１を出し入れ可能とされている。履物収容ケース６０の頂部には、ハンガーフック貫通部７２が設けられている。また、ケース開閉部６４の上部には、アクセサリー等を収容可能な小物ポケット６５が設けられている。
【００４８】
履物収容ケース６０は、種々の素材を用いることが可能である。履物収容ケース６０の材質は、クッション性のある素材を用いることが望ましい。本実施形態においていは、履物収容ケース６０はキルティングを用いている。キルティングの裏布は撥水性のある素材を用いることが望ましい。
【００４９】
履物収容部６８は、履物４を収容するために設けられている。図６（ａ）に示すとおり、履物収容部６８は、履物収容ケース６０をハンガー１に装着した状態において、ハンガー１のショルダー部２ａ，２ｂ間の領域に隣接するよう設けられている。履物４は、履物４の右足用あるいは左足用のいずれかがショルダー部２ａからショルダー部２ｂに向かう方向に、他方がショルダー部２ｂからショルダー部２ａに向かう方向に沿うよう、それぞれ履物収容部６８に収容される。
【００５０】
履物保護部６６は、履物収容部６８の幅と同等の幅を有する布地によって形成されている。履物保護部６６は、一端がケース開閉部６４をなす開口近傍に縫合等によって固定され、他端が自由端とされている。履物保護部６６は、履物収容部６８に収容された履物４をくるんで保持できる。これにより、履物収容部６８内で左足用及び右足用の履物４同士が擦れ合うことや、履物４とハンガー１とが接触するのを防止できる。また、ハンガー１がショルダー部２ａ，２ｂ間を繋ぐ横杆を有するものである場合には、横杆の下をくぐるように履物保護部６６を収容させることにより、横杆と履物４との接触を抑制しつつ、横杆によって履物４を保持する効果も見込める。
【００５１】
ハンガーカバー部７４は、ハンガー１のショルダー部２ａ，２ｂを覆っている。ハンガーカバー部７４を弾力性があるものとすることにより、ハンガー１と上着６との間のクッションの役割が期待できる。また、ハンガーカバー部７４が、ハンガー１のショルダー部２ａ，２ｂに支持され、履物収容ケース６０及び履物４の荷重を支持する。
【００５２】
ハンガーフック貫通部７２は、履物収容ケース６０内に収容したハンガー１のハンガーフック部３を、履物収容ケース６０の外側に取り出すための孔である。ハンガーカバー部７４から取り出されたハンガーフック部３を係合部３４に引っ掛けることにより、履物収容ケース６０をバッグ本体２０に取付けることができる。
【００５３】
ケース開閉部６４は、履物収容ケース６０を開閉するため設けられている。本実施形態ではケース開閉部６４は、ファスナーを用いている。その他、面ファスナーやボタン、フック等、選択することが可能である。また、ケース開閉部６４は、開口だけを設け、ファスナー等の留め具を用いないものでもよい。
【００５４】
次に、履物収容ケース６０への履物４の収容について、図面を参照しつつ説明する。図５に示すとおり、履物４を履物収容ケース６０に収容しようとする場合には、先ず履物保護部６６を履物収容ケース６０の内側から外側に引き出す。履物４を、開放状態としたケース開閉部６４から履物収容ケース６０の内側に入れる。これにより、図６に示すように、履物４とハンガー１とが履物収容ケース６０に収容された状態になる。図６（ａ）に示すとおり、履物４は、左右のかかと部がハンガー１のショルダー部２ａ，２ｂにそれぞれ隣接して収容される。図６（ｂ）に示すとおり、履物収容ケース６０は、履物保護部６６によりハンガーカバー部７４と履物収容部６８とに隔てられる。履物４は、履物保護部６６にくるまれて履物収容部６８に収容される。一方、ハンガー１はハンガーカバー部７４に収容され、履物４とハンガー１とが直接接触しない。ハンガー１のハンガーフック部３は、ハンガーフック貫通部７２を貫通して履物収容ケース６０の外側に突出する。
【００５５】
続いて、履物４を収容した履物収容ケース６０をハンガー１に装着し、上着６を掛けた状態について図面を参照しつつ説明する。図７は、履物４を収容した履物収容ケース６０をハンガー１に装着し、ハンガー１に上着６を掛けた状態を示している。図７に示すとおり、履物４が収容された履物収容部６８は、上着６の肩から胸に亘る部分（図７における符号Ｈ付近）に位置する。また、履物収容ケース６０に履物４を収容することにより、厚みＤが構成される。ハンガー１に上着６を掛けた場合において、厚みＤは上着６のＨ付近に位置することになる。そのため、上着６の肩から胸に亘る部分に厚みを持たせつつ、上着６をバッグ本体２０に収容することが可能となる。さらに、図７（ａ）に示すとおり、履物４の左右のかかと部は、ハンガー１のショルダー部２ａ，２ｂに隣接して収納されているため、上着６の左右の肩部付近の内側に位置する。これにより、衣服携行バッグ１０にパンツ７やスカート８を収容した上で上着６を収容したとしても、履物４のかかと部の厚みが上着６の内側において確保される。そのため、履物４のかかと部が上着６の肩部の形状を内側から保持し、上着６の型くずれが抑制される。特に肩パットの入った上着や、肩部が立体的に縫製されているジャケット等に、好適に使用することができる。
【００５６】
次に、衣服携行バッグ１０に衣服を収容する手順について、図面を参照しながら説明する。図８は、衣服携行バッグ１０にスーツを構成するパンツ７、スカート８、上着６を収容する手順を図示している。図８（ａ）は、衣服携行バッグ１０のバッグ本体２０を展開した状態である。バッグ本体２０に設けられた衣服掛部３２にパンツ７を通し、パンツ７のウエスト部側を下部領域２４側に折りたたんで、パンツ７をバッグ本体２０に収容する。図８（ｂ）は、図８（ａ）の状態からさらにスカート８を収容した状態である。スカート８のウエスト部の裏に２カ所設けられているハンガーループ９ａ，９ｂを、吊部４０ａ，４０ｂにそれぞれ吊るす。先述のとおり、吊部４０ａ，４０ｂのループ部４２ａ，４２ｂに設けられたループボタン４４ａ，４４ｂを開放した後にハンガーループ９ａ，９ｂを通し、再びループボタン４４ａ，４４ｂを結合することでハンガーループ９ａ，９ｂを吊るし、スカート８がハンガーループ９ａ，９ｂを介してバッグ本体２０に連結される。続いて図８（ｃ）に示すとおり、履物収容ケース６０に上着６を掛け、ハンガーフック部３を係合部３４に掛ける。履物収容ケース６０内部には、履物４（図示を省略）が収容されている。図８（ｄ）は、内側カバー２９ａ，２９ｂに設けられたカバー開閉部３０ａ，３０ｂを閉じた状態である。右側及び左側の内側カバー２９ａ，２９ｂを閉じて押さえることで、上着６、スカート８、パンツ７が衣服携行バッグ１０内部で散乱することを抑制する。最後に、図８（ｅ）、図８（ｆ）に示すように、バッグ本体２０の上部領域２２と下部領域２４とを、バッグ開閉部４８により閉じる。図８（ｆ）の状態において、衣服携行バッグ１０が持ち運び可能なバッグの形状となる。
【００５７】
≪第二実施形態（変形例）≫
次に、本発明の衣服携行バッグ１０に係る履物収容ケース６０についての変形例について、図面を参照しつつ説明する。図９（ａ）は、履物収容ケース６０の変形例である履物収容ケース１６０を示している。履物収容ケース１６０は、履物収容部６８及びケース開閉部６４に加えて、装着部８０を設けている。なお、履物収容ケース１６０は、ハンガーカバー部７４、ハンガーフック貫通部７２及び履物保護部６６を設けていない。図９（ａ）に示すとおり、装着部８０は、履物収容ケース１６０の上部に設けられた装着帯８２ａ，８２ｂを備えている。装着帯８２ａ，８２ｂは、一端が履物収容ケース１６０に取付けられ、他端が着脱可能とされている。装着帯８２ａ，８２ｂの片面には、着脱部８４ａ，８４ｂが設けられている。本実施形態では、着脱部８４ａ，８４ｂは面ファスナーを用いている。図９（ｂ）に示すとおり、着脱部８４ａ，８４ｂを着脱して装着帯８２ａ，８２ｂをショルダー部２ａ，２ｂに装着することで、履物収容ケース１６０をハンガー１に装着可能とされている。
【００５８】
図９（ｃ）は、ハンガー１の横杆にパンツ７を掛け、さらにハンガー１に履物収容ケース１６０を装着した状態である。履物収容ケース１６０を用いれば、履物収容ケース１６０をハンガー１に装着しても、ハンガー１の横杆が履物収容ケース１６０に収納されない。そのため、ハンガー１の横杆にパンツ等のボトムスを掛止めた状態で、ハンガー１に履物収容ケース１６０を装着し、これらを衣服携行バッグ１０に収容することができる。装着部８０は、ハンガーフック部３に引っ掛ける形状としてもよい。また、装着部８０は、履物収容ケース１６０に１カ所あるいは２カ所以上を設けてもよい。また、着脱部８４ａ，８４ｂをボタンやフックを用いるなど、種々選択することが可能である。
【産業上の利用可能性】
【００５９】
本発明の衣服携行バッグは、衣服や履物を収容して携行するための軽量のバッグとして好適に活用することができる。
【符号の説明】
【００６０】
１                  ハンガー
２ａ，２ｂ          ショルダー部
３                  ハンガーフック部
４                  履物
９ａ，９ｂ          ハンガーループ
１０                衣服携行バッグ
２０                バッグ本体
２８                衣服固定部
３２                衣服掛部
３４                係合部
３６                凹部
４０ａ，４０ｂ      吊部
４８                バッグ開閉部
６０，１６０        履物収容ケース
６６                履物保護部
６８                履物収容部
１００              衣服収容領域
【図１】
0006384671.tif 000002
【図２】
0006384671.tif 000003
【図３】
0006384671.tif 000004
【図４】
0006384671.tif 000005
【図５】
0006384671.tif 000006
【図６】
0006384671.tif 000007
【図７】
0006384671.tif 000008
【図８】
0006384671.tif 000009
【図９】
0006384671.tif 000010